(57)【要約】【課題】遊技盤の着脱の際に電気配線を枠部材や裏セット盤に挟むことがなく、容易に遊技盤の着脱を行うことができる遊技機を提供する。【解決手段】本発明に係る遊技機は、枠部材と、枠部材に着脱可能に取り付けられた遊技盤と、枠部材の裏面側に開閉自在に取り付けられた裏セット盤とを備え、遊技盤に配設された遊技盤側電気部品と、枠部材または裏セット盤に配設された枠側電気部品とを電気配線により電気的に接続して遊技に供される遊技機であって、電気配線の一端側にはコネクタ部が設けられており、遊技盤の裏面側には、枠側電気部品のコネクタ端子から取り外された状態のコネクタ部を仮止めするための仮止め部材１５０，１５５，１６０，１６５が設けられている。【選択図】　図６
2004033518.tif 000002
【特許請求の範囲】
【請求項１】
枠部材と、前記枠部材に着脱可能に取り付けられた遊技盤と、前記枠部材の裏面側に開閉自在に取り付けられるとともに前記遊技盤の裏面側を覆う閉止位置に保持されて用いられる裏セット盤とを備え、
前記遊技盤に配設された遊技盤側電気部品と、前記枠部材または前記裏セット盤に配設された枠側電気部品とを電気配線により電気的に接続して遊技に供される遊技機であって、
前記電気配線の一端側には、前記枠側電気部品に設けられたコネクタ端子に着脱自在に取り付けることで前記電気配線と前記枠側電気部品とを電気的に接続することができるコネクタ部が設けられており、
前記遊技盤の裏面側には、前記枠側電気部品の前記コネクタ端子から取り外された状態の前記コネクタ部を仮止めするための仮止め部材が設けられていることを特徴とする遊技機。
【発明の詳細な説明】
【０００１】
【発明の属する技術分野】
本発明は、パチンコ機に代表される遊技機に関し、さらに詳しくは、遊技機の電気配線に設けられたコネクタ部を仮止めするための仮止め部材に関する。
【０００２】
【従来の技術】
パチンコ機に代表される遊技機は、多数本の遊技釘や風車、種々の入賞装置等が所定のゲージ設定で配設された遊技盤と、遊技盤を着脱自在に装着する枠部材と、枠部材の裏面側に開閉自在に取り付けられるとともに常には遊技盤の裏面側を覆う閉止位置に保持されて用いられる裏セット盤とを備えて構成される。
【０００３】
このようなパチンコ機において、遊技盤には、例えば、画像表示装置やこの画像表示装置の制御を行う画像処理基板等の電力により作動する電気部品（以下、遊技盤側電気部品という）が配設されるとともに、枠部材や裏セット盤には、例えば、パチンコ機の作動を統括的に制御するメイン基板等の電気部品（以下、枠側電気部品という）が配設されており、遊技盤側電気部品と枠側電気部品とを電気配線により電気的に接続して遊技に供される。電気配線の両端にはコネクタ部がそれぞれ設けられており、このコネクタ部を枠側電気部品（および遊技盤側電気部品）に設けられたコネクタ端子に着脱自在に取り付けることで、電気配線と枠側電気部品（および遊技盤側電気部品）とが電気的に接続されるようになっている。
【０００４】
ところで、遊技盤の交換の際には、電気配線のコネクタ部を遊技盤側電気部品もしくは枠側電気部品のいずれか一方のコネクタ端子から取り外し、続いて裏セット盤を遊技盤の裏面側を開放する開放位置に位置させる。そして、この状態で遊技盤の着脱を行って遊技盤を交換するようになっている。
【０００５】
【発明が解決しようとする課題】
しかしながら、電気配線は遊技盤側電気部品と枠側電気部品との距離に対応した長さを有しているため、例えば、電気配線を遊技盤側電気部品に接続したまま遊技盤の着脱を行うと、電気配線が長く垂れ下がった状態となって、電気配線を枠部材や裏セット盤に挟んでしまうことがあり、遊技盤の着脱が煩雑なものとなっていた。
【０００６】
本発明はこのような問題に鑑みてなされたものであり、遊技盤の着脱の際に電気配線を枠部材や裏セット盤に挟むことがなく、容易に遊技盤の着脱を行うことができる遊技機を提供することを目的とする。
【０００７】
【課題を解決するための手段】
このような目的達成のため、本発明に係る遊技機は、枠部材と、枠部材に着脱可能に取り付けられた遊技盤と、枠部材の裏面側に開閉自在に取り付けられるとともに遊技盤の裏面側を覆う閉止位置に保持されて用いられる裏セット盤とを備え、遊技盤に配設された遊技盤側電気部品と、枠部材または裏セット盤に配設された枠側電気部品とを電気配線により電気的に接続して遊技に供される遊技機であって、電気配線の一端側には、枠側電気部品に設けられたコネクタ端子に着脱自在に取り付けることで電気配線と枠側電気部品とを電気的に接続することができるコネクタ部が設けられており、遊技盤の裏面側には、枠側電気部品のコネクタ端子から取り外された状態のコネクタ部を仮止めするための仮止め部材が設けられている。
【０００８】
このような構成の遊技機によれば、遊技盤の裏面側にコネクタ部の仮止め部材が設けられているため、枠側電気部品のコネクタ端子からコネクタ部を取り外して仮止め部材に仮止めしておけば、遊技盤の着脱の際に電気配線を枠部材や裏セット盤に挟むことがなく、容易に遊技盤の着脱を行うことができる。
【０００９】
【発明の実施の形態】
以下、本発明の好ましい実施形態について図面を参照しながら説明する。本発明に係る遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た正面図、図２はパチンコ機ＰＭを裏面側から見た背面図、図３は裏セット盤を取り外した状態の前枠の背面図である。
【００１０】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１１】
前枠２の正面側には、前枠２の前面域に合わせた方形状をなし中央部に取り付けられたポリカーボネート板やガラス板等の透明板を通して遊技盤２０を透視可能なガラス扉５、および球皿に貯留された遊技球を整列させて１個ずつ打球発射装置９に導く上球皿６が、ともに左側縁に内蔵されたヒンジ機構により横開き開閉および着脱が可能に組付けられ、常には施錠装置４および図示省略するロック機構を利用して前枠２の前面を覆う閉止状態で保持される。前枠２の下部には遊技球を貯留する下球皿７設けられ、この下球皿７と並んで遊技球の発射操作を行う操作ハンドル８が取り付けられている。
【００１２】
ガラス扉５の背後に位置する前枠２の裏面上部には、方形枠状の収容枠１１が前枠２と一体に成形されており、この収容枠１１に所定のゲージ設定で構成された遊技盤２０が複数の係合レバー１４，１４…（図３では不図示）により着脱交換可能にセット保持される。収容枠１１は、遊技盤２０をセット保持したときに遊技盤２０の前面が閉鎖状態にあるガラス扉５の透明板と所定間隔をおいて対向するように構成されており、遊技盤面と透明板との間に遊技球が落下移動する遊技領域空間が形成される。収容枠１１の後縁部には、裏セット盤３０をそれぞれ横開き開閉並びに着脱可能に支持する固定ヒンジ部材１２，１３が上下に所定間隔をおいてねじ固定されている。
【００１３】
遊技盤２０は板厚１９ｍｍ程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。
【００１４】
遊技領域ＰＡには、多数本の遊技釘とともにランプ風車２５ａや一般風車２５ｂ等の風車２５、一般入賞具２６ａや始動具２６ｂ並びに大入賞口を備えたアタッカー２６ｃ等の入賞具２６、および遊技の進行状況に応じて所定の画像を表示させる画像表示装置２８などが取り付けられ、遊技領域ＰＡの下端には入賞具２６に入賞せずに落下した遊技球（「アウト球」という）を遊技盤２０の裏面側に排出させるアウト口２７が設けられている。各入賞具（一般入賞具２６ａおよびアタッカー２６ｃ等）や始動具２６ｂに落入した遊技球（「セーフ球」という）は、各入賞具および始動具２６ｂに設けられた各入賞口スイッチおよび始動口スイッチにより検出され、化粧板２１を貫通するセーフ球通路孔を通って遊技盤２０の裏面側に排出される。また、アウト口２７に集められたアウト球は化粧板２１を貫通するアウト球通路孔を通って遊技盤２０の裏面側に排出される。
【００１５】
遊技盤２０の裏面側には、遊技盤２０の裏面側に排出されたセーフ球を下方へ流下させるための球寄せカバー５０が取り付けられている。球寄せカバー５０は、遊技盤２０の裏面側中央部に位置する上部球寄せカバー５２と上部球寄せカバー５２の下方に隣接する下部球寄せカバー５１とから構成され、上部球寄せカバー５２および下部球寄せカバー５１の内部には、セーフ球を下部球寄せカバー５１の下方へ排出させるためのセーフ球流下経路が形成される。
【００１６】
上部球寄せカバー５２には、画像表示装置２８の画像表示制御を行う画像処理基板７１や、遊技盤２０に取り付けられた各種遊技盤ランプへの点灯信号の中継を行うランプ中継基板７２、遊技機の作動状態を遊技施設側に出力するための外部出力端子基板７４などの回路基板が着脱交換可能に取り付けられる。下部球寄せカバー５１には、各入賞口スイッチからの検出信号や遊技盤２０に取り付けられた各種ソレノイドへの駆動信号の中継を行うスイッチ・ソレノイド中継基板７３が着脱交換可能に取り付けられる。なお画像処理基板７１は、図３および図６に示すように、収容ケース６０に納められた状態で上部球寄せカバー５２に取り付けられており、偽造ＲＯＭへの差し替え等の不正改造を受け難いようになっている。
【００１７】
前枠２の裏面下部には、遊技球を外レール２４ａに向けて発射する打球発射装置９、および操作ハンドル８の回動操作を受けて打球発射装置９の作動を制御する発射制御基板８２が取り付けられる。前枠２におけるこれらの装置９および発射制御基板８２と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤１５は上球皿６の背後に位置しており、常には閉鎖保持される上球皿６によりその前面側が覆われている。
【００１８】
前枠２の背後に位置して、裏セット盤（裏機構盤とも称される）３０が取り付けられる。裏セット盤３０は、外枠１の内寸サイズよりも幾分小さめの方形状をなし、中央に遊技盤２０から突出する画像処理基板７１を受容する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させあるいは係脱させることで、裏セット盤３０が前枠２の背後に横開き開閉および着脱可能に装備され、常には３カ所の閉鎖レバー３４を利用して前枠２の背面を覆うように閉鎖保持される。
【００１９】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材４１、タンク部材４１から供給される遊技球を整列させて流下させる整列樋部材４２、整列樋部材から供給される遊技球を受けて所定数量の遊技球を待機保持させる賞球待機通路４３、賞球待機通路４３に待機された遊技球を所定の入賞条件等に基づいて払い出す賞球払出装置４５、賞球払出装置４５から払い出された遊技球を上下の球皿６，７に導く賞球払出経路４７などの賞球装置よび賞球経路が設けられている。また、基枠体３１の前面側には、窓口３１ｗの下方に位置して遊技盤２０の裏面側に排出されたアウト球およびセーフ球、球抜き機構によって賞球経路から排出された抜き球等を集合させる集合経路が形成され、基枠体３１の裏面側には集合経路と繋がって集合された遊技球を遊技施設側の回収バケットに排出させる球排出経路が形成されている。
【００２０】
また、裏セット盤３０の裏面各部には、パチンコ機ＰＭの作動を統括的に制御するメイン基板８１や、メイン基板８１からの指令信号に基づいて賞球払出装置の作動制御を行う賞球制御基板８３、効果照明および効果音の作動制御を行うランプ制御基板８４および音声制御基板８５、これらの制御基板や各種電子機器等に電力を供給する電源基板８６、電源基板８６から供給される電力の中継を行う電源中継基板８７などの回路基板が着脱交換可能に取り付けられ、各回路基板や電子機器が図示しないワイヤーハーネス（電気配線）で接続されてパチンコ機ＰＭが構成される。
【００２１】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２２】
ここで、パチンコ機ＰＭに構成される各回路基板や電子機器といった電気部品の電気的な接続について図４を参照して説明する。図４は、パチンコ機ＰＭに構成される電気部品の電気的な接続を示す回路ブロック図である。パチンコ機ＰＭに構成される電気部品は、遊技盤２０に配設された遊技盤側電気部品７０と、外枠１や前枠２といった枠部材または裏セット盤３０に配設された枠側電気部品８０とから構成される。
【００２３】
遊技盤側電気部品７０は、例えば、画像表示装置２８の画像処理基板７１、ランプ中継基板７２、スイッチ・ソレノイド中継基板７３、外部出力端子基板７４、そして始動口スイッチ７５などの電気部品により図４に示すように構成される。また、枠側電気部品８０は、例えば、メイン基板８１、ランプ制御基板８４、そして電源中継基板８７などの電気部品により図４に示すように構成される。
【００２４】
メイン基板８１は、賞球制御基板８３と、ランプ制御基板８４と、音声制御基板８５と、電源中継基板８７と、画像処理基板７１と、スイッチ・ソレノイド中継基板７３と、外部出力端子基板７４と、始動口スイッチ７５とに各電気配線により電気的に接続される。そして、メイン基板８１には電源中継基板８７と電気的に接続される電源基板８６から供給される電力および各検出スイッチからの検出信号が入力され、各検出信号に基づいてメイン基板８１は各回路基板へ制御信号を出力する。
【００２５】
なお、賞球制御基板８３は発射制御基板８２と電気的に接続されており、発射制御基板８２にはメイン基板８１からの球発射制御信号が賞球制御基板８３を介して入力される。また、音声制御基板８５はスピーカと電気的に接続されており、メイン基板８１からの音声制御信号を受けて、スピーカへ音声信号を出力する。
【００２６】
画像処理基板７１は、メイン基板８１と第１電気配線１０１により電気的に接続されており、メイン基板８１からの画像表示制御信号が入力される。第１電気配線１０１の両端には第１コネクタ部が設けられており、メイン基板８１および画像処理基板７１に設けられた第１コネクタ端子にこの第１コネクタ部を取り付けることにより、メイン基板８１と画像処理基板７１とが電気的に接続される。なお、画像処理基板７１は液晶パネルと電気的に接続されており、液晶パネルへ画像表示信号を出力する。
【００２７】
また、画像処理基板７１は、電源中継基板８７と第６電気配線１０６により電気的に接続されており、電力が電源基板８６から電源中継基板８７を介して画像処理基板７１に供給される。第６電気配線１０６の両端には第６コネクタ部が設けられており、画像処理基板７１および電源中継基板８７に設けられた第６コネクタ端子にこの第６コネクタ部を取り付けることにより、画像処理基板７１と電源中継基板８７とが電気的に接続される。
【００２８】
スイッチ・ソレノイド中継基板７３は、メイン基板８１と第２電気配線１０２により電気的に接続される。さらにスイッチ・ソレノイド中継基板７３は、各入賞口スイッチおよび各種ソレノイドと電気的に接続されており、各入賞口スイッチからの検出信号がスイッチ・ソレノイド中継基板７３を介してメイン基板８１に入力され、メイン基板８１からのソレノイド駆動信号がスイッチ・ソレノイド中継基板７３を介して各種ソレノイドへ出力される。
【００２９】
第２電気配線１０２の両端には第２コネクタ部が設けられており、メイン基板８１およびスイッチ・ソレノイド中継基板７３に設けられた第２コネクタ端子にこの第２コネクタ部を取り付けることにより、メイン基板８１とスイッチ・ソレノイド中継基板７３とが電気的に接続される。
【００３０】
外部出力端子基板７４は、メイン基板８１と第３電気配線１０３により電気的に接続されており、メイン基板８１からの外部出力信号が入力される。第３電気配線１０３の両端には第３コネクタ部が設けられており、メイン基板８１および外部出力端子基板７４に設けられた第３コネクタ端子にこの第３コネクタ部を取り付けることにより、メイン基板８１と外部出力端子基板７４とが電気的に接続される。
【００３１】
始動口スイッチ７５は、メイン基板８１と第４電気配線１０４により電気的に接続されており、始動口スイッチ７５からの検出信号がメイン基板８１に入力される。第４電気配線１０４は始動口スイッチ７５に配設されており、第４電気配線１０４の端部に設けられた第４コネクタ部をメイン基板８１に設けられた第４コネクタ端子に取り付けることにより、メイン基板８１と始動口スイッチ７５とが電気的に接続される。
【００３２】
ランプ中継基板７２は、ランプ制御基板８４と第５電気配線１０５により電気的に接続されており、ランプ制御基板８４からのランプ点灯信号が入力される。さらにランプ中継基板７２は、各種遊技盤ランプと電気的に接続されており、前述のランプ点灯信号を各種遊技盤ランプへ出力する。第５電気配線１０５の両端には第５コネクタ部が設けられており、ランプ制御基板８４およびランプ中継基板７２に設けられた第５コネクタ端子にこの第５コネクタ部を取り付けることにより、ランプ制御基板８４とランプ中継基板７２とが電気的に接続される。
【００３３】
このように概要構成されるパチンコ機ＰＭにあって、遊技盤２０裏面側に位置する上部球寄せカバー５２および収容ケース６０には、遊技盤側電気部品７０と枠側電気部品８０とを電気的に接続する電気配線のコネクタ部を仮止めするための種々の仮止め部材が設けられている。まず、図５〜図１０を参照しながら、収容ケース６０に設けられた仮止め部材について説明する。なお、以降では前枠２を背面側から見た構成を主として説明するため、説明の便宜上、図３における左右方向を左方または右方と称し、紙面直交方向の向こう側（パチンコ機ＰＭの前面側）を前方、手前側（同裏面側）を後方と称して説明する。
【００３４】
ここで、図５は収容ケース６０に構成される蓋部６５の斜視図、図６は収容ケース６０の背面図、図７は収容ケース６０の左平面拡大図、図８は収容ケース６０の右平面拡大図（部分断面図）、図９は収容ケース６０の右側面拡大図、そして図１０は収容ケース６０の左側面拡大図である。
【００３５】
収容ケース６０は、図６〜図１０に示すように、開口を有するケース部６１と、この開口を覆ってケース部６１に取り付けられる蓋部６５とからなり、その内部に画像処理基板７１が収容されるように構成される。画像処理基板７１は、基板７１ａと、基板７１ａ上の所定位置に配設されたＣＰＵ７１ｂａやＲＯＭ７１ｂｂ等の各電子部品７１ｂ（図６の破線矩形で略式表示）とを有して構成され、画像表示装置２８の画像表示制御を行うようになっている。
【００３６】
画像処理基板７１の左端部には、第１電気配線１０１の第１コネクタ部１０１ａが取り付けられる第１コネクタ端子７１ｃが設けられており、第１コネクタ部１０１ａを第１コネクタ端子７１ｃに取り付けることにより、画像処理基板７１と第１電気配線１０１とが電気的に接続するようになっている。画像処理基板７１の下端部には、第６電気配線１０６の第６コネクタ部１０６ａが取り付けられる第６コネクタ端子７１ｄが設けられており、第６コネクタ部１０６ａを第６コネクタ端子７１ｄに取り付けることにより、画像処理基板７１と第６電気配線１０６とが電気的に接続するようになっている。
【００３７】
ケース部６１は、一端に開口を有する方形箱状の形態をなし、ポリカーボネートやメタクリル樹脂等の透明な樹脂材料を用いて一体的に形成されている。ケース部６１の外周部四箇所には、収容ケース６０を上部球寄せカバー５２に取り付けるための収容ケース取付部６２，６２，…がケース取付穴６２ａを有して形成されており、ケース部６１の内部には、画像処理基板７１を収容ケース６０内で支持固定するための台座部６３が形成されている。
【００３８】
蓋部６５は、図６に示すように、ケース部６１の開口を覆う方形箱状の形態をなし、ポリカーボネートやメタクリル樹脂等の透明な樹脂材料を用いて一体的に形成される。蓋部６５の底部四隅には、蓋部６５をケース部６１に取り付けるための蓋取付部６６，６６，…が形成されている。蓋取付部６６は、図８に示すように、蓋部６５の底部から内方に延びるボス状に形成され、各蓋取付部６６，６６，…を所定取付位置に位置合わせした状態で、ケース部６１の台座部６３にスペーサ６４を介して支持された画像処理基板７１の四隅に当接し、蓋取付部６６とスペーサ６４とにより画像処理基板７１の四隅が挟持されるように構成される。
【００３９】
そして、蓋部取付ネジ６９を、蓋取付部６６に形成された蓋部取付穴（図示せず）、画像処理基板７１の四隅に形成された基板取付穴（図示せず）、そしてスペーサ６４に形成された貫通穴（図示せず）の順で通過させ、台座部６３に形成された台座部ネジ穴（図示せず）にネジ止め固定することにより、蓋部６５がケース部６１に取り付けられるとともに、画像処理基板７１が台座部６３およびスペーサ６４と蓋取付部６６とに挟持された状態で収容ケース６０内に収容される。
【００４０】
蓋部６５の左端部には、左コネクタ開口部６７ａが形成されており、蓋部６５がケース部６１に取り付けられた状態で、画像処理基板７１の第１コネクタ端子７１ｃが外部に露出するように構成されている。同様に、蓋部６５の下端部には、下部コネクタ開口部６７ｂが形成されており、蓋部６５がケース部６１に取り付けられた状態で、画像処理基板７１の第６コネクタ端子７１ｄが外部に露出するように構成されている。蓋部６５の底部における上下４箇所には、配線フック６８，６８，…がそれぞれ形成されており、パチンコ機ＰＭに配設された各電気配線を一時的に引っ掛けておくことができるようになっている。
【００４１】
さて、図５に示すように、収容ケース６０に構成される蓋部６５には、蓋部６５の底部上方に位置する上部仮止め部材１５０と、蓋部６５の底部下方に位置する下部仮止め部材１５５と、蓋部６５の底部左方に位置する左仮止め部材１６０と、蓋部６５の底部右方に位置する右仮止め部材１６５と、蓋部６５の底部中央に位置する中央仮止め部材１７０とがそれぞれ一体的に形成されており、各仮止め部材に各電気配線のコネクタ部を仮止めすることができるようになっている。また、図６に示すように、各仮止め部材は画像処理基板７１の各電子部品７１ｂと重ならない位置に形成されており、画像処理基板７１が収容ケース６０に収容されたままの状態で、作業者が各電子部品７１ｂを外観検査できるようになっている。特に、各電子部品７１ｂの中でも画像表示制御の主要部であるＣＰＵ７１ｂａやＲＯＭ７１ｂｂを外観検査できることが望ましい。
【００４２】
上部仮止め部材１５０は、電気配線のコネクタ部を保持する上部保持壁部１５１と、上部保持壁部１５１とコネクタ部を挟持するアーム部１５２とから構成される。上部保持壁部１５１は、蓋部６５から後方に延びて三方を囲む方形壁状に形成され、コネクタ部を後方から受容して保持するように構成される。アーム部１５２は、蓋部６５から後方へ突出するように形成され、上部保持壁部１５１にコネクタ部を後方から挿入すると、コネクタ部の側部と当接して下方に弾性変形し、その弾性力により上部保持壁部１５１とアーム部１５２とがコネクタ部を挟持するように構成される。
【００４３】
このように構成される上部仮止め部材１５０において、例えば、図７および図１０に示すように、第６電気配線１０６の第６コネクタ部１０６ａを後方から上部保持壁部１５１に挿入すると、アーム部１５２が第６コネクタ部１０６ａの側部と当接して下方に弾性変形し、その弾性力により上部保持壁部１５１とアーム部１５２とが第６コネクタ部１０６ａを挟持することで、第６コネクタ部１０６ａが上部仮止め部材１５０に仮止めされる。
【００４４】
下部仮止め部材１５５は、左右に互いに隣接し、電気配線のコネクタ部を保持する二つの下部保持壁部１５６，１５６と、左右二つの下部保持壁部１５６，１５６に保持されたコネクタ部をそれぞれロック保持する二つの下部ロック片部１５７，１５７とから構成される。下部保持壁部１５６，１５６は、蓋部６５から後方に延びて三方を囲む方形壁状に形成されるとともに、中央の仕切壁１５８により左右に互いに隣接するように形成され、コネクタ部を後方から受容して保持するように構成される。下部ロック片部１５７は、蓋部６５から後方へ突出するように形成され、下部保持壁部１５６にコネクタ部を後方から挿入すると、コネクタ部の側部と当接して上方に弾性変形し、コネクタ部が所定保持位置に到達すると、弾性力によりコネクタ部の後縁部に係合してコネクタ部を所定保持位置にロック保持するように構成される。
【００４５】
このように構成される下部仮止め部材１５５において、例えば、図８および図９に示すように、第２電気配線１０２の第２コネクタ部１０２ａや第５電気配線１０５の第５コネクタ部１０５ａを後方から左右の下部保持壁部１５６，１５６に挿入すると、下部ロック片部１５７が第２コネクタ部１０２ａ（第５コネクタ部１０５ａ）の側部と当接して上方に弾性変形する。そして、第２コネクタ部１０２ａ（第５コネクタ部１０５ａ）が所定保持位置に到達すると、下部ロック片部１５７が弾性力により第２コネクタ部１０２ａ（第５コネクタ部１０５ａ）の後縁部に係合して第２コネクタ部１０２ａ（第５コネクタ部１０５ａ）を所定保持位置にロック保持し、第２コネクタ部１０２ａや第５コネクタ部１０５ａが下部仮止め部材１５５に所定保持位置で仮止めされる。
【００４６】
なお、第２コネクタ部１０２ａ（および第５コネクタ部１０５ａ）を下部仮止め部材１５５から取り外すには、下部ロック片部１５７を上方に弾性変形させて第２コネクタ部１０２ａ（および第５コネクタ部１０５ａ）との係合を解除し、その状態で第２コネクタ部１０２ａ（および第５コネクタ部１０５ａ）を後方へ引き抜けばよい。そのため、電気配線のコネクタ部を２つ同時に仮止めすることができ、さらに下部ロック片部１５７によって、より確実にコネクタ部を仮止めすることができる。
【００４７】
左仮止め部材１６０は、電気配線のコネクタ部を保持する左保持壁部１６１を備えて構成される。左保持壁部１６１は、蓋部６５から後方に延びて三方を囲む方形壁状に形成され、コネクタ部と嵌合することによりコネクタ部を保持するように構成される。また、左保持壁部１６１には、電気配線と係合する左係合溝１６２，１６２が形成されている。
【００４８】
このように構成される左仮止め部材１６０において、例えば、図１０に示すように、第６電気配線１０６の第６コネクタ部１０６ａを左保持壁部１６１と嵌合させ、左保持壁部１６１に第６コネクタ部１０６ａを保持させることで、第６コネクタ部１０６ａが左仮止め部材１６０に仮止めされる。また、図７および図１０に示すように、第３電気配線１０３や第４電気配線１０４の一端側を左保持壁部１６１の左係合溝１６２，１６２に係合させることにより、第３電気配線１０３の第３コネクタ部１０３ａや第４電気配線１０４の第４コネクタ部１０４ａが左仮止め部材１６０に仮止めされる。そのため、電気配線のコネクタ部をより広範囲の厚さに対応して仮止めすることができ、さらに左係合溝１６２，１６２によってもコネクタ部を仮止めすることができる。
【００４９】
右仮止め部材１６５は、電気配線のコネクタ部を保持する右保持壁部１６６と、右保持壁部１６６に保持されたコネクタ部をロック保持する右ロック片部１６７とから構成される。右受保持壁部１６６は、蓋部６５から後方に延びて三方を囲む方形壁状に形成され、コネクタ部を後方から受容して保持するように構成される。右ロック片部１６７は、蓋部６５から後方へ突出するように形成され、右保持壁部１６６にコネクタ部を後方から挿入すると、コネクタ部の側部と当接して左方に弾性変形し、コネクタ部が所定保持位置に到達すると、弾性力によりコネクタ部の後縁部に係合してコネクタ部を所定保持位置にロック保持するように構成される。また、右保持壁部１６６には、電気配線と係合する右係合溝１６８，１６８，…が形成されている。
【００５０】
このように構成される右仮止め部材１６５において、例えば、図８および図９に示すように、第１電気配線１０１の第１コネクタ部１０１ａを後方から右保持壁部１６６に挿入すると、右ロック片部１６７が第１コネクタ部１０１ａの側部と当接して左方に弾性変形する。そして、第１コネクタ部１０１ａが所定保持位置に到達すると、右ロック片部１６７が弾性力により第１コネクタ部１０１ａの後縁部に係合して第１コネクタ部１０１ａを所定保持位置にロック保持し、第１コネクタ部１０１ａが右仮止め部材１６５に所定保持位置で仮止めされる。
【００５１】
なお、第１コネクタ部１０１ａを右仮止め部材１６５から取り外すには、右ロック片部１６７を左方に弾性変形させて第１コネクタ部１０１ａとの係合を解除し、その状態で第１コネクタ部１０１ａを後方へ引き抜けばよい。また、右保持壁部１６６の右係合溝１６８に電気配線の一端側を係合させることにより、電気配線のコネクタ部を右仮止め部材１６５に仮止めすることもできる。そのため、右ロック片部１６７によって、より確実にコネクタ部を仮止めすることができ、さらに右係合溝１６８によってもコネクタ部を仮止めすることができる。
【００５２】
中央仮止め部材１７０は、電気配線のコネクタ部を収容保持する複数の収容保持リブ１７１，１７１，…を備えて構成される。複数の収容保持リブ１７１，１７１，…は、所定間隔をおいて蓋部６５から後方へ突出するように形成され、収容保持リブ１７１同士の隙間に電気配線および電気配線のコネクタ部を収容して保持するように構成される。なお、収容保持リブ１７１，１７１，…同士の隙間が縦横に形成されるため、複数の収容保持リブ１７１，１７１，…は電気配線を縦方向にも横方向にも保持することができる。
【００５３】
このように構成される中央仮止め部材１７０において、例えば、図７に示すように、第４電気配線１０４の第４コネクタ部１０４ａを上下の収容保持リブ１７１，１７１，…により挟持するように収容保持させるとともに、第４電気配線１０４の一端側を上下の収容保持リブ１７１，１７１，…同士の隙間に位置させることで、第４コネクタ部１０４ａが中央仮止め部材１７０に仮止めされる。
【００５４】
以上のような構成の収容ケース６０に設けられた各仮止め部材によれば、上部仮止め部材１５０の上部保持壁部１５１とアーム部１５２とに電気配線部のコネクタ部を挟持させることで、コネクタ部を上部仮止め部材１５０に仮止めすることができる。また、下部仮止め部材１５５の下部保持壁部１５６と下部ロック片部１５７とにコネクタ部をロック保持させることにより、コネクタ部を下部仮止め部材１５５に仮止めすることができる。さらに、左仮止め部材１６０の左保持壁部１６１にコネクタ部を嵌合保持させたり、電気配線の一端側を左保持壁部１６１の左係合溝１６２，１６２に係合させたりすることにより、コネクタ部を左仮止め部材１６０に仮止めすることができる。
【００５５】
また、右仮止め部材１６５の右保持壁部１６６と右ロック片部１６７とにコネクタ部をロック保持させたり、右保持壁部１６６の右係合溝１６８に電気配線の一端側を係合させたりすることにより、コネクタ部を右仮止め部材１６５に仮止めすることができる。さらに、中央仮止め部材１７０の収容保持リブ１７１，１７１，…に電気配線の一端側を挟持させることにより、コネクタ部を中央仮止め部材１７０に仮止めすることができる。
【００５６】
従って、電気配線のコネクタ部を枠側電気部品８０に設けられたコネクタ端子から取り外して、前述の各仮止め部材に仮止めすることにより、電気配線やコネクタ部を挟むことなく円滑に遊技盤２０の装着又は脱着作業を行うことができる。
【００５７】
続いて、図１１〜図１９を参照しながら、上部球寄せカバー５２に設けられた各仮止め部材について説明する。ここで、図１１は上部球寄せカバー５２の背面図、図１２は第１仮止め部材２００の斜視図、図１３は図１１中の矢印ＸＩＩＩ−ＸＩＩＩに沿った平断面図、図１４（Ａ）は第２仮止め部材２１０の斜視図、図１４（Ｂ）は第２仮止め部材２１０の取付部分の斜視図、図１５は図１１中の矢印ＸＶ−ＸＶに沿った平断面図、図１６（Ａ）は第３仮止め部材２２０の斜視図、図１６（Ｂ）は第３仮止め部材２２０の取付部分の斜視図、図１７は図１１中の矢印ＸＶＩＩ−ＸＶＩＩに沿った側断面図、図１８は第４仮止め部材２３０の斜視図、そして図１９は図１１中の矢印ＸＩＸ−ＸＩＸに沿った側断面図である。
【００５８】
上部球寄せカバー５２は、ポリカーボネートやメタクリル樹脂、そしてＡＢＳ樹脂等の透明な樹脂材料を用いて、図１１に示す形状に一体的に形成される。上部球寄せカバー５２の上下五箇所には、上部球寄せカバー５２を遊技盤２０の裏面側に取り付けるためのカバー取付部５３，５３，…が取付穴部５３ａを有して形成されており、遊技盤２０の裏面側に形成されたカバー取付穴（図示せず）に取付穴部５３ａを位置合わせして、ネジ等によりカバー取付部５３，５３，…を遊技盤２０にそれぞれネジ止め固定することで、上部球寄せカバー５２が遊技盤２０の裏面側に取り付けられるようになっている。
【００５９】
上部球寄せカバー５２の内部には、遊技盤２０の裏面側に排出されたセーフ球を流下させるための上部セーフ球流下経路５４，５４が形成されており、セーフ球がこの上部セーフ球流下経路５４を流下して下部球寄せカバー５１の内部へ排出されるようになっている。
【００６０】
上部球寄せカバー５２の中央部四箇所には、収容ケース６０を上部球寄せカバー５２に取り付けるためのケース取付ボス部５５，５５，…が形成されている。収容ケース取付部５５は、ネジ穴５５ｃを有する取付ボス部５５ａと、取付ボス部５５ａから十字状に延びて収容ケース６０の収容ケース取付部６２を支持するように形成された十字リブ５５ｂとを備えて構成されており、取付ボス部５５ａのネジ穴５５ｃに収容ケース取付部６２のケース取付穴６２ａを位置合わせして、ネジ等により収容ケース取付部６２，６２，…をケース取付ボス部５５，５５，…にそれぞれネジ止め固定することで、収容ケース６０が上部球寄せカバー５２に取り付けられるようになっている。
【００６１】
上部球寄せカバー５２の左方には、ランプ中継基板７２を上部球寄せカバー５２に取り付けるためのランプ中継基板取付部５６が形成されている。ランプ中継基板取付部５６は、ランプ中継基板７２を支持する基板支持リブ５６ａと、ランプ中継基板７２を受容保持する基板保持片５６ｂと、ランプ中継基板７２を係止保持する基板係止片５６ｃと、ランプ中継基板７２を支持固定するボス部５６ｄとを備えて構成され、ランプ中継基板７２を基板保持片５６ｂに受容保持させるとともに基板係止片５６ｃに係止保持させ、この状態でランプ中継基板７２をネジ等の固定手段によりボス部５６ｄに固定することにより、ランプ中継基板７２が上部球寄せカバー５２に取り付けられるようになっている。
【００６２】
上部球寄せカバー５２の右方には、外部出力端子基板７４を上部球寄せカバー５２に取り付けるための外部出力端子基板取付部５７が形成されている。外部出力端子基板取付部５７は、外部出力端子基板７４を支持する基板支持リブ５７ａと、外部出力端子基板７４を受容保持する基板保持片５７ｂと、外部出力端子基板７４を支持固定するボス部５７ｄとを備えて構成され、基板保持片５７ｂに外部出力端子基板７４を受容保持させ、この状態で外部出力端子基板７４をネジ等の固定手段によりボス部５７ｄに固定することにより、外部出力端子基板７４が上部球寄せカバー５２に取り付けられるようになっている。
【００６３】
上部球寄せカバー５２の上端部から右端部にかけて、電気配線を通すための配線ガイド部５８がＬ字状に延びて形成されており、この配線ガイド部５８に沿って遊技盤２０に配設された電気部品同士を電気的に接続するための各電気配線が通るようになっている。
【００６４】
さて、図１１に示すように、上部球寄せカバー５２には、上部球寄せカバー５２の右方に位置する第１仮止め部材２００と、上部球寄せカバー５２の左方に位置する第２仮止め部材２１０と、上部球寄せカバー５２の上部右方に位置する第３仮止め部材２２０と、上部球寄せカバー５２の上部左方に位置する第４仮止め部材２３０とがそれぞれ設けられており、各仮止め部材に各電気配線のコネクタ部を仮止めすることができるようになっている。
【００６５】
第１仮止め部材２００は、樹脂材料を用いて図１２および図１３に示す形状に一体的に形成される。第１仮止め部材２００の一端側には、上部球寄せカバー５２の右方に形成された第１仮止め部材取付ボス２０７と係合する第１仮止め部材係合部２０１が形成されている。第１仮止め部材係合部２０１は、第１仮止め部材取付ボス２０７の外径よりも若干大きな径を有して形成され、第１仮止め部材取付ボス２０７と係合して第１仮止め部材２００が回動可能となるように構成される。
【００６６】
第１仮止め部材２００の中央部には、第１仮止め部材取付ネジ２０９が通過する第１仮止め部材取付穴２０２が形成されており、第１仮止め部材係合部２０１と第１仮止め部材取付ボス２０７とが係合した状態で、第１仮止め部材取付ネジ２０９を第１仮止め部材取付穴２０２に通過させて、第１仮止め部材取付ボス２０７に形成されたネジ穴２０８にネジ止め固定することにより、第１仮止め部材２００が上部球寄せカバー５２に第１仮止め部材取付ボス２０７を中心軸として回動可能に取り付けられる。
【００６７】
第１仮止め部材２００の他端側には、電気配線のコネクタ部と嵌合する第１コネクタ嵌合部２０３が形成されている。第１コネクタ嵌合部２０３は、四方を囲む方形壁状に形成され、コネクタ部と嵌合することによりコネクタ部を保持するように構成される。また、第１コネクタ嵌合部２０３には、電気配線と係合する第１係合溝２０４，２０４，…が形成されている。さらに、第１コネクタ嵌合部２０３に隣接した位置には、電気配線と係合するフック部２０５が形成されている。
【００６８】
このように構成される第１仮止め部材２００において、第１仮止め部材２００を電気配線の曲がり癖や配設箇所等に応じて所望取付角度に回動させ、例えば、図１３に示すように、第３電気配線１０３や第４電気配線１０４の一端側を第１コネクタ嵌合部２０３の第１係合溝２０４，２０４，…に係合させることにより、第３電気配線１０３の第３コネクタ部１０３ａや第４電気配線１０４の第４コネクタ部１０４ａが第１仮止め部材２００に仮止めされる。また例えば、第３電気配線１０３の一端側をフック部２０５に係合させることにより、第３コネクタ部１０３ａが第１仮止め部材２００に仮止めされる。さらに、電気配線のコネクタ部を第１コネクタ嵌合部２０３と嵌合させ、第１コネクタ嵌合部２０３にコネクタ部を保持させることで、コネクタ部を第１仮止め部材２００に仮止めすることもできる。
【００６９】
第２仮止め部材２１０は、樹脂材料を用いて図１４（Ａ）および図１５に示す形状に一体的に形成される。第２仮止め部材２１０の一端側には、上部球寄せカバー５２の左方に形成された第２仮止め部材係止穴２１６に係止する４つの第２仮止め部材係止片部２１１，２１１，…が形成されている。第２仮止め部材係止片部２１１は、第２仮止め部材２１０の中央部に形成された第２フランジ部２１２から前方へ突出するように形成され、第２仮止め部材係止穴２１６に第２仮止め部材２１０を後方から挿入すると、第２仮止め部材係止片部２１１が第２仮止め部材係止穴２１６の内周部と当接して弾性変形し、第２仮止め部材２１０が所定取付位置に到達すると、弾性力により第２仮止め部材係止穴２１６の内縁部に係止して第２仮止め部材２１０が上部球寄せカバー５２に回動可能に取り付けられるように構成される。
【００７０】
第２仮止め部材係止穴２１６の周辺部には、第２仮止め部材２１０を支持する第２仮止め部材支持リブ２１７が形成されている。第２仮止め部材支持リブ２１７は、図１４（Ｂ）に示すように、第２仮止め部材係止穴２１６の周辺部から後方へ延びる円筒状に形成され、第２仮止め部材２１０の所定取付位置において第２フランジ部２１２と当接し、第２仮止め部材２１０を支持するように構成される。
【００７１】
そのため、第２仮止め部材２１０を第２仮止め部材係止穴２１６に後方から挿入すると、４つの第２仮止め部材係止片部２１１，２１１，…がそれぞれ第２仮止め部材係止穴２１６の内周部と当接して弾性変形し、第２仮止め部材２１０が所定取付位置に到達すると、第２仮止め部材係止片部２１１，２１１，…がそれぞれ弾性力により第２仮止め部材係止穴２１６の内縁部に係止するとともに、第２フランジ部２１２が第２仮止め部材支持リブ２１７に当接し、第２仮止め部材２１０が第２フランジ部２１２に支持された状態で上部球寄せカバー５２に回動可能に取り付けられる。上述から分かるように、第２仮止め部材２１０はネジ等の固定手段を用いずに上部球寄せカバー５２に回動可能に取り付けられ、仮止め部材の取付性が向上している。
【００７２】
第２仮止め部材２１０の他端側には、電気配線のコネクタ部と嵌合する第２コネクタ嵌合部２１３が形成されている。第２コネクタ嵌合部２１３は、四方を囲む方形壁状に形成され、コネクタ部と嵌合することによりコネクタ部を保持するように構成される。
【００７３】
このように構成される第２仮止め部材２１０において、第２仮止め部材２１０を電気配線の曲がり癖や配設箇所等に応じて所望取付角度に回動させ、例えば、図１５に示すように、第２電気配線１０２の第２コネクタ部１０２ａを第２コネクタ嵌合部２０３と嵌合させ、第２コネクタ嵌合部２１３に第２コネクタ部１０２ａを保持させることで、第２コネクタ部１０２ａが第２仮止め部材２１０に仮止めされる。
【００７４】
第３仮止め部材２２０は、樹脂材料を用いて図１６（Ａ）および図１７に示す形状に一体的に形成される。第３仮止め部材２２０の一端側には、上部球寄せカバー５２の上部右方に形成された第３仮止め部材係止溝２２６，２２６に係止する２つの第３仮止め部材係止片部２２１，２２１が形成されている。第３仮止め部材係止片部２２１は、第３仮止め部材２２０の中央部に形成された第３フランジ部２２２から前方へ突出するように形成され、第３仮止め部材係止溝２２６，２２６に第３仮止め部材２２０を後方から挿入すると、第３仮止め部材係止片部２２１が第３仮止め部材係止溝２２６の内側部と当接して弾性変形し、第３仮止め部材２２０が所定取付位置に到達すると、弾性力により第３仮止め部材係止溝２２６の内縁部に係止して第３仮止め部材２２０が上部球寄せカバー５２にスライド移動可能に取り付けられるように構成される。
【００７５】
また、第３仮止め部材２２０の一端側中央には、第３仮止め部材２２０の上部球寄せカバー５２に対する取付高さを一定に保持する高さ保持リブ２２３が形成されている。高さ保持リブ２２３は、第３フランジ部２２２における第３仮止め部材係止片部２２１，２２１の間隙部から前方へ延びるように形成され、第３仮止め部材２２０の所定取付位置において第３仮止め部材係止溝２２６，２２６の間隙部に当接し、第３仮止め部材２２０の上部球寄せカバー５２に対する取付高さを一定に保持するように構成される。第３仮止め部材係止溝２２６，２２６は、図１１および図１６（Ｂ）に示すように、互いに上下に平行して左右へ延びるように形成され、第３仮止め部材２２０が左右へスライド移動可能に取り付けられるように構成される。
【００７６】
そのため、第３仮止め部材２２０を第３仮止め部材係止片部２２１，２２１に後方から挿入すると、２つの第３仮止め部材係止片部２２１，２２１がそれぞれ第３仮止め部材係止溝２２６，２２６の内側部と当接して弾性変形し、第３仮止め部材２２０が所定取付位置に到達すると、第３仮止め部材係止片部２２１，２２１がそれぞれ弾性力により第３仮止め部材係止溝２２６，２２６の内縁部に係止するとともに、高さ保持リブ２２３が第３仮止め部材係止溝２２６，２２６の間隙部に当接し、第３仮止め部材２２０が上部球寄せカバー５２に左右へスライド移動可能に取り付けられる。このとき、高さ保持リブ２２３により第３仮止め部材２２０の上部球寄せカバー５２に対する取付高さが一定に保持される。
【００７７】
上述から分かるように、第３仮止め部材２２０はネジ等の固定手段を用いずに上部球寄せカバー５２に左右へスライド移動可能に取り付けられ、仮止め部材の取付性が向上するとともに、長さの異なる電気配線にも対応することができる。なお、第３仮止め部材２２０は、上部球寄せカバー５２に左右に限らず上下にスライド移動可能に取り付けられてもよい。このようにすれば、第３仮止め部材２２０が上部球寄せカバー５２に左右へスライド移動可能に取り付けられた場合と同様の効果を得ることができる。また、第３仮止め部材係止溝２２６，２２６の間隙部に、高さ保持リブ２２３をスライド移動可能に受容する受容溝（図示せず）を形成してもよい。このようにすれば、第３仮止め部材２２０の上下方向のガタツキを抑えることができる。
【００７８】
第３仮止め部材２２０の他端側には、電気配線を係合保持するための第３配線保持部２２４が形成されている。第３配線保持部２２４は、くわ型形状に形成され、第３配線保持部２２４に電気配線を後方から嵌入すると、電気配線が第３配線保持部２２４と係合して保持されるように構成される。
【００７９】
このように構成される第３仮止め部材２２０において、第３仮止め部材２２０を電気配線の曲がり癖や配設箇所等に応じて所望位置に左右へスライド移動させ、例えば、図１７に示すように、第４電気配線１０４の一端側を第３配線保持部２２４に後方から嵌入すると、第４電気配線１０４の一端側が第３配線保持部２２４と係合して保持されることにより、第４電気配線１０４の第４コネクタ部１０４ａが第３仮止め部材２２０に仮止めされる。そのため、電気配線をより傷めにくい状態で電気配線のコネクタ部を仮止めすることができる。
【００８０】
第４仮止め部材２３０は、樹脂材料を用いて図１８および図１９に示す形状に一体的に形成される。第４仮止め部材２３０の一端側には、上部球寄せカバー５２の上部左方に形成された第４仮止め部材取付ボス２３６と係合する第４仮止め部材係合部２３１が形成されている。第４仮止め部材係合部２３１は、第４仮止め部材取付ボス２３６の外径よりも若干大きな径を有して形成され、第４仮止め部材取付ボス２３６と係合して第４仮止め部材２３０が回動可能となるように構成される。
【００８１】
第４仮止め部材２３０の中央部には、第４仮止め部材取付ネジ２３８が通過する第４仮止め部材取付穴２３２が形成されており、第４仮止め部材係合部２３１と第４仮止め部材取付ボス２３６とが係合した状態で、第４仮止め部材取付ネジ２３８を第４仮止め部材取付穴２３２に通過させて、第４仮止め部材取付ボス２３６に形成されたネジ穴２３７にネジ止め固定することにより、第４仮止め部材２３０が上部球寄せカバー５２に第４仮止め部材取付ボス２３６を中心軸として回動可能に取り付けられる。
【００８２】
第４仮止め部材２３０の他端側には、電気配線のコネクタ部を保持するための第４配線保持部２３３が形成されている。第４配線保持部２３３は、コネクタ部を収容保持する複数の収容保持リブ２３４，２３４，…を備えて構成される。複数の収容保持リブ２３４，２３４，…は、所定間隔をおいて第４仮止め部材２３０の他端側から後方へ突出するように形成され、収容保持リブ２３４同士の隙間に電気配線および電気配線のコネクタ部を収容して保持するように構成される。なお、収容保持リブ２３４，２３４，…同士の隙間が縦横に形成されるため、複数の収容保持リブ２３４，２３４，…は電気配線を縦方向にも横方向にも保持することができる。
【００８３】
このように構成される第４仮止め部材２３０において、第４仮止め部材２３０を電気配線の曲がり癖や配設箇所等に応じて所望取付角度に回動させ、例えば、図１９に示すように、第３電気配線１０３の一端側を第４配線保持部２３３の左右の収容保持リブ２３４，２３４，…により挟持するように収容保持させることで、第３電気配線１０３の第３コネクタ部１０３ａが第４仮止め部材２３０に仮止めされる。
【００８４】
以上のような構成の上部球寄せカバー５２に設けられた各仮止め部材によれば、第１仮止め部材２００の第１コネクタ嵌合部２０３に電気配線のコネクタ部を嵌合保持させたり、電気配線の一端側を第１コネクタ嵌合部２０３の第１係合溝２０４，２０４，…に係合させたり、電気配線の一端側をフック部２０５に係合させたりすることにより、コネクタ部を第１仮止め部材２００に仮止めすることができる。また、第２仮止め部材２１０の第２コネクタ嵌合部２１３にコネクタ部を嵌合保持させることにより、コネクタ部を第２仮止め部材２１０に仮止めすることができる。
【００８５】
さらに、電気配線の一端側を第３仮止め部材２２０の第３配線保持部２２４に係合させることにより、コネクタ部を第３仮止め部材２２０に仮止めすることができる。また、第４仮止め部材２３０の収容保持リブ２３４，２３４，…に電気配線の一端側を挟持させることにより、コネクタ部を第４仮止め部材２３０に仮止めすることができる。さらに、各仮止め部材は上部球寄せカバー５２に回動もしくはスライド移動可能に設けられているため、電気配線の曲がり癖や配設箇所等に応じ各仮止め部材を変移（回動もしくはスライド移動）させてコネクタ部を仮止めすることができ、コネクタ部の仮止め時における電気配線の断線などを防止することができる。
【００８６】
従って、電気配線のコネクタ部を枠側電気部品８０に設けられたコネクタ端子から取り外して、前述の各仮止め部材に仮止めすることにより、電気配線やコネクタ部を挟むことなく円滑に遊技盤２０の装着又は脱着作業を行うことができる。
【００８７】
次に、収容ケースに設けられた仮止め部材の第二実施形態について図２０〜図２２を参照して説明する。ここで、図２０は第二実施形態における収容ケース６６０の斜視図、図２１は収容ケース６６０の右平面拡大図、そして図２２は収容ケース６６０の右側面拡大図である。
【００８８】
本実施例における仮止め部材として、図２０に示すように、収容ケース６６０に構成される蓋部６６５の上部側面中央に位置する第５仮止め部材２５０と、蓋部６６５の上部側面左右にそれぞれ位置する第６仮止め部材２６０，２６０と、蓋部６６５の左右側面にそれぞれ位置する第７仮止め部材２７０，２７０とが収容ケース６６０にそれぞれ設けられている。なお、収容ケース６６０は、開口を有するケース部６６１と、この開口を覆ってケース部６６１に取り付けられる蓋部６６５とからなり、これらケース部６６１および蓋部６６５は、各仮止め部材の他は第一実施形態におけるケース部６１および蓋部６５と同様に形成されている。
【００８９】
第５仮止め部材２５０は、蓋部６６５の上部側面から垂直上方に延びるリブ状に形成され、第５仮止め部材２５０の中央部には、電気配線と係合する第５係合溝２５１が形成されている。そして、このように構成される第５仮止め部材２５０において、例えば、図２１に示すように、第４電気配線１０４の一端側を第５係合溝２５１に係合させることにより、第４電気配線１０４の第４コネクタ部１０４ａが第５仮止め部材２５０に仮止めされる。
【００９０】
第６仮止め部材２６０，２６０は、それぞれ蓋部６６５の上部側面からＬ字状に延びて形成され、電気配線と係合するように構成される。そして、このように構成される第６仮止め部材２６０，２６０において、例えば、図２１に示すように、第３電気配線１０３の一端側を第６仮止め部材２６０に係合させることにより、第３電気配線１０３の第３コネクタ部１０３ａが第６仮止め部材２６０に仮止めされる。
【００９１】
第７仮止め部材２７０，２７０は、それぞれ蓋部６６５の左右側面に隣接する方形枠状に形成され、電気配線のコネクタ部と嵌合するように構成される。また、図２１および図２２に示すように、第７仮止め部材２７０の左右内壁面の間隔は前方に向かうにつれて若干小さくなるとともに、第７仮止め部材２７０の上下内壁面同士は平行となっており、コネクタ部を嵌合させやすいようになっている。そして、このように構成される第７仮止め部材２７０，２７０において、例えば、図２２に示すように、第６電気配線１０６の第６コネクタ部１０６ａを第７仮止め部材２７０に嵌合させることにより、第６コネクタ部１０６ａが第７仮止め部材２７０に仮止めされる。
【００９２】
このため、以上のような構成のパチンコ機ＰＭによれば、遊技盤２０の裏面側にコネクタ部の仮止め部材が設けられているため、枠側電気部品８０のコネクタ端子からコネクタ部を取り外して仮止め部材に仮止めしておけば、遊技盤２０の着脱の際に電気配線を枠部材（外枠１および前枠２）や裏セット盤３０に挟むことがなく、容易に遊技盤２０の着脱を行うことができる。
【００９３】
なお、上述の各実施形態において、上部仮止め部材１５０と、下部仮止め部材１５５と、左仮止め部材１６０と、右仮止め部材１６５と、中央仮止め部材１７０とが収容ケース６０に設けられているが、これに限られるものではなく、上部球寄せカバー５２に設けられてもよい（収容ケース６６１に設けられた仮止め部材も同様である）。また、第１仮止め部材２００と、第２仮止め部材２１０と、第３仮止め部材２２０と、第４仮止め部材２３０とが上部球寄せカバー５２に設けられているが、これに限られるものではなく、収容ケース６０に設けられてもよい。
【００９４】
また、上述の各実施形態において、各仮止め部材が収容ケース６０（収容ケース６６１）や上部球寄せカバー５２に設けられているが、これに限られるものではなく、例えば、化粧板２１の裏面側や下部球寄せカバー５１等、遊技盤２０の裏面側における裏セット盤３０の窓口３１ｗに対応した位置に設けられていればよい。
【００９５】
さらに、上述の各実施形態において、各仮止め部材が遊技盤２０側に設けられ、電気配線のコネクタ部を枠側電気部品８０のコネクタ端子から取り外して各仮止め部材に仮止めするように構成されているが、これに限られるものではなく、仮止め部材を枠部材（外枠１および前枠２）側に設け、コネクタ部を遊技盤側電気部品７０のコネクタ端子から取り外して各仮止め部材に仮止めするように構成してもよい。
【００９６】
また、上述の各実施形態において、各仮止め部材が、前枠２（枠部材）に後方（パチンコ機ＰＭの裏面側）へ着脱交換可能に取り付けられた遊技盤２０側に設けられているが、これに限られるものではなく、前枠２（枠部材）に前方（パチンコ機ＰＭの前面側）へ着脱交換可能に取り付けられた遊技盤側に設けられてもよい。
【００９７】
【発明の効果】
以上説明したように、本発明による遊技機によれば、遊技盤の裏面側にコネクタ部の仮止め部材が設けられているため、枠側電気部品のコネクタ端子からコネクタ部を取り外して仮止め部材に仮止めしておけば、遊技盤の着脱の際に電気配線を枠部材や裏セット盤に挟むことがなく、容易に遊技盤の着脱を行うことができる。
【図面の簡単な説明】
【図１】本発明に係る弾球遊技機の一例として示すパチンコ機の正面図である。
【図２】上記パチンコ機の裏面側を示す背面図である。
【図３】上記パチンコ機における裏セット盤を取り外した状態の前枠の背面図である。
【図４】パチンコ機に構成される電気部品の電気的な接続を示す回路ブロック図である。
【図５】収容ケースに構成される蓋部の斜視図である。
【図６】収容ケースの背面図である。
【図７】収容ケースの左平面拡大図である。
【図８】収容ケースの右平面拡大図（部分断面図）である。
【図９】収容ケースの右側面拡大図である。
【図１０】収容ケースの左側面拡大図である。
【図１１】上部球寄せカバーの背面図である。
【図１２】第１仮止め部材の斜視図である。
【図１３】図１１中の矢印ＸＩＩＩ−ＸＩＩＩに沿った平断面図である。
【図１４】（Ａ）は第２仮止め部材の斜視図であり、（Ｂ）は第２仮止め部材の取付部分の斜視図である。
【図１５】図１１中の矢印ＸＶ−ＸＶに沿った平断面図である。
【図１６】（Ａ）は第３仮止め部材の斜視図であり、（Ｂ）は第３仮止め部材の取付部分の斜視図である。
【図１７】図１１中の矢印ＸＶＩＩ−ＸＶＩＩに沿った側断面図である。
【図１８】第４仮止め部材の斜視図である。
【図１９】図１１中の矢印ＸＩＸ−ＸＩＸに沿った側断面図である。
【図２０】第二実施形態における収容ケースの斜視図である。
【図２１】第二実施形態における収容ケースの右平面拡大図である。
【図２２】第二実施形態における収容ケースの右側面拡大図である。
【符号の説明】
ＢＳＰ　裏セット盤
ＰＡ　遊技領域
ＰＭ　パチンコ機
１　外枠
２　前枠
３ａ，３ｂ　ヒンジ部材
４　施錠装置
５　ガラス扉
６　上球皿
７　下球皿
８　操作ハンドル
９　打球発射装置
１１　収容枠
１２，１３　固定ヒンジ部材
１４　係合レバー
１５　遊技補助盤
２０　遊技盤
２１　化粧板
２４ａ　外レール
２４ｂ　内レール
２５　風車（２５ａ　ランプ風車、２５ｂ　一般風車）
２６　入賞具（２６ａ　一般入賞具、２６ｂ　始動具、２６ｃ　アタッカー）
２７　アウト口
２８　図柄表示装置
３０　裏セット盤
３０　基枠体
３１　基枠体（３１ｗ　窓口）
３２，３３　裏セット盤揺動ヒンジ部材
３４　閉鎖レバー
４１　タンク部材
４２　整列樋部材
４３　賞球待機通路
４５　賞球払出装置
４７　賞球払出経路
５０　球寄せカバー
５１　下部球寄せカバー
５２　上部球寄せカバー
５３　カバー取付部（５３ａ　取付穴部）
５４　上部セーフ球流下経路
５５　ケース取付ボス部
（５５ａ　取付ボス部、５５ｂ　十字リブ、５５ｃ　ネジ穴）
５６　ランプ中継基板取付部
（５６ａ　基板支持リブ、５６ｂ　基板保持片、５６ｃ　基板係止片、
５６ｄ　ボス部）
５７　外部出力端子基板取付部
（５７ａ　基板支持リブ、５７ｂ　基板保持片、５７ｄ　ボス部）
５８　配線ガイド部
６０　収容ケース
６１　ケース部
６２　収容ケース取付部（６２ａ　ケース取付穴）
６３　台座部
６４　スペーサ
６５　蓋部
６６　蓋取付部
６７ａ　左コネクタ開口部
６７ｂ　下部コネクタ開口部
６８　配線フック
６９　蓋部取付ネジ
７０　遊技盤側電気部品
７１　画像処理基板
（７１ａ　基板、７１ｂ　各電子部品、７１ｃ　第１コネクタ端子、
７１ｄ　第６コネクタ端子、７１ｂａ　ＣＰＵ、７１ｂｂ　ＲＯＭ）
７２　ランプ中継基板
７３　スイッチ・ソレノイド中継基板
７４　外部出力端子基板
７５　始動口スイッチ
８０　枠側電気部品
８１　メイン基板
８２　発射制御基板
８３　賞球制御基板
８４　ランプ制御基板
８５　音声制御基板
８６　電源基板
８７　電源中継基板
１０１　第１電気配線（１０１ａ　第１コネクタ部）
１０２　第２電気配線（１０２ａ　第２コネクタ部）
１０３　第３電気配線（１０３ａ　第３コネクタ部）
１０４　第４電気配線（１０４ａ　第４コネクタ部）
１０５　第５電気配線（１０５ａ　第５コネクタ部）
１０６　第６電気配線（１０６ａ　第６コネクタ部）
１５０　上部仮止め部材
１５１　上部保持壁部
１５２　アーム部
１５５　下部仮止め部材
１５６　下部保持壁部
１５７　下部ロック片部
１５８　仕切壁
１６０　左仮止め部材
１６１　左保持壁部
１６２　左係合溝
１６５　右仮止め部材
１６６　右保持壁部
１６７　右ロック片部
１６８　右係合溝
１７０　中央仮止め部材
１７１　収容保持リブ
２００　第１仮止め部材
２０１　第１仮止め部材係合部
２０２　第１仮止め部材取付穴
２０３　第１コネクタ嵌合部
２０４　通し溝
２０５　フック部
２０７　第１仮止め部材取付ボス
２０８　ネジ穴
２０９　第１仮止め部材取付ネジ
２１０　第２仮止め部材
２１１　第２仮止め部材係止片部
２１２　第２フランジ部
２１３　第２コネクタ嵌合部
２１６　第２仮止め部材係止穴
２１７　第２仮止め部材支持リブ
２２０　第３仮止め部材
２２１　第３仮止め部材係止片部
２２２　第３フランジ部
２２３　高さ保持リブ
２２４　第３配線保持部
２２６　第３仮止め部材係止溝
２３０　第４仮止め部材
２３１　第４仮止め部材係合部
２３２　第１仮止め部材取付穴
２３３　第４配線保持部
２３４　収容保持リブ
２３６　第４仮止め部材取付ボス
２３７　ネジ穴
２３８　第４仮止め部材取付ネジ
２５０　第５仮止め部材
２５１　第５係合溝
２６０　第６仮止め部材
２７０　第７仮止め部材
【図１】
2004033518.tif 000003
【図２】
2004033518.tif 000004
【図３】
2004033518.tif 000005
【図４】
2004033518.tif 000006
【図５】
2004033518.tif 000007
【図６】
2004033518.tif 000008
【図７】
2004033518.tif 000009
【図８】
2004033518.tif 000010
【図９】
2004033518.tif 000011
【図１０】
2004033518.tif 000012
【図１１】
2004033518.tif 000013
【図１２】
2004033518.tif 000014
【図１３】
2004033518.tif 000015
【図１４】
2004033518.tif 000016
【図１５】
2004033518.tif 000017
【図１６】
2004033518.tif 000018
【図１７】
2004033518.tif 000019
【図１８】
2004033518.tif 000020
【図１９】
2004033518.tif 000021
【図２０】
2004033518.tif 000022
【図２１】
2004033518.tif 000023
【図２２】
2004033518.tif 000024